(57)【要約】      （修正有）【課題】測定時間が短く、廉価で、直角または斜め端面を有する多心光コネクタフェルールを偏心の測定対象とする多心光コネクタフェルール偏心測定装置を提供する。【解決手段】多心光コネクタフェルール２における、光伝送方向に対して直角または傾斜する端面を撮影し、多心光コネクタフェルールの設計位置からの偏心量を測定する装置であって、多心光コネクタフェルールにおける偏心量の測定対象である端面からみて逆側から多心光コネクタフェルールに照明光を入射する光源１１と、端面に形成されるガイド穴のエッジに焦点を合わせることができる対物レンズと、端面から出射された照明光を対物レンズを介して撮影する撮影部１３と、直角または傾斜する端面の全体を視野に収めることができる対物レンズと撮像部の組み合わせを用いて、撮影部で撮影して得た画像を多値で規格化し、規格化された画像に基づいて偏心量を計算する画像処理部１４とを有する。【選択図】図６
2018071990.tif 000002
【特許請求の範囲】
【請求項１】
多心光コネクタフェルールにおける、光伝送方向に対して直角または傾斜する端面を撮影し、前記多心光コネクタフェルールの設計位置からの偏心量を測定する多心光コネクタフェルール偏心測定装置であって、
前記多心光コネクタフェルールにおける前記偏心量の測定対象である端面からみて逆側から前記多心光コネクタフェルールに照明光を入射する光源と、
前記端面に形成されるガイド穴のエッジに焦点を合わせることができる倍率を有する対物レンズと、
前記端面から出射された前記照明光を前記対物レンズを介して撮影する撮影部と、
前記撮影部で撮影して得た画像を多値で規格化し、前記規格化された画像に基づいて前記偏心量を計算する画像処理部と
を備える多心光コネクタフェルール偏心測定装置。
【請求項２】
前記対物レンズの倍率と撮像部の撮像視野は、前記直角または傾斜する端面の全体を視野に収めることができる、レンズと撮像部の組合せである
請求項１に記載の多心光コネクタフェルール偏心測定装置。
【請求項３】
前記撮影部の撮像素子の１画素当たりの測定領域と全画素数は、前記対物レンズを介して撮影して得た画像における、前記端面に形成されたファイバ穴のエッジの測定精度が所定条件を満たす大きさとなる数である
請求項１または２に記載の多心光コネクタフェルール偏心測定装置。
【請求項４】
前記画像処理部は、前記撮影部で撮影して得た画像を９から３２段階の間の値で規格化し、前記規格化された画像に基づいて前記偏心量を計算する
請求項１〜３のいずれかに記載の多心光コネクタフェルール偏心測定装置。
【請求項５】
多心光コネクタフェルールにおける、光伝送方向に対して直角または傾斜する端面を撮影し、前記多心光コネクタフェルールの設計位置からの偏心量を測定する多心光コネクタフェルール偏心測定装置に適用される方法であって、
前記多心光コネクタフェルールにおける前記偏心量の測定対象である端面からみて逆側から前記多心光コネクタフェルールに照明光を入射し、
前記端面に形成されるガイド穴のエッジに焦点を合わせて前記直角または傾斜する端面の全体を視野に収めることができる、対物レンズと撮像部の組合せを用いて、前記端面から出射された前記照明光を撮影し、
前記撮影して得た画像を多値で規格化し、前記規格化された画像に基づいて前記偏心量を計算する
多心光コネクタフェルール偏心測定方法。
【発明の詳細な説明】
【技術分野】
【０００１】
本発明の実施形態は、多心光コネクタフェルールの偏心測定装置および方法に関する。
【背景技術】
【０００２】
従来、複数の光ファイバを一括で接続するための多心光ファイバコネクタとして、MT（Mechanical Transferable）コネクタやMPO（Multi-fiber Push On）コネクタが知られている（非特許文献１参照）。
【０００３】
かかる光コネクタは、２本のガイドピンをそれぞれの光コネクタフェルールのガイド穴に挿入して、相互の位置決めをしながら複数の光ファイバの端面同士を突き合わせることにより光結合を実現するものである。
【０００４】
これら多心光コネクタの良否を判断する主な方法として、第１の方法として、基準となるマスタコネクタプラグと被測定のコネクタプラグとを接続し、この接続損失を測定する方法がある。  
この第１の方法は、比較的に簡単な方法であるため、作製した多心光ファイバコネクタの接続特性測定用として広く普及している。
【０００５】
また、第２の方法として、光コネクタフェルールの光ファイバ穴（ファイバ穴と称することもある）の設計位置からのずれ（偏心）や当該ファイバ穴に挿入・固定された光ファイバのコア部の偏心を計測する方法がある。この方法では、光学レンズとCCDカメラ、サンプル移動ステージとレーザ測長計、取得した画像のデータ処理を用いて、測定対象の光コネクタフェルールの設計位置からの偏心を測定・計算し、その偏心量の大きさからコネクタフェルールの良否を検査する（非特許文献２参照）。
【０００６】
この測定機構や手順は、水平面内で移動可能なステージに測定対象の光コネクタフェルールを固定し、ステージの下方には光源を設け、光コネクタフェルールのガイド穴及びファイバ穴の一端側から照明光を入射し、ステージを移動させながら顕微鏡（対物レンズ）を介して、CCDカメラによりガイド穴及びファイバ穴からの透過照明光を順次撮像する。
【０００７】
この撮像した透過照明光の画像から得られる、各ガイド穴のエッジ位置とステージの移動位置とに基づいて各種の穴の中心位置を測定・計算し、これらの中心位置から求めた原点を基準とした、ファイバ穴の中心位置（設計値）からの偏心をコンピュータにより計算する。
【０００８】
この測定のためには大掛かりな装置が必要なため、当該測定は一般的に光コネクタフェルールのメーカーが、製造時にサンプルの品質を検査するために、抜き取り検査で使用されることが多い。
【先行技術文献】
【非特許文献】
【０００９】
【非特許文献１】T. Satake, S. Nagasawa, M. Hughes, and S. Lutz, “MPO-type single-mode multi-fiber connector: Low-loss and high-return-loss intermateability of APC-MPO connectors,” Optical Fiber Technology 17, pp.17-30, 2011.
【非特許文献２】標準化文書 IEC61300-3-27およびJIS C5961 6.10，“多心光ファイバフェルールの穴位置精度”
【発明の概要】
【発明が解決しようとする課題】
【００１０】
しかしながら、従来のかかる多心光コネクタフェルールの偏心測定装置においては、測定に時間がかかるという問題があった。  
これは、測定対象の光コネクタフェルールにおいて、高倍率、すなわち視野範囲の狭い顕微鏡（対物レンズ）で、２個のガイド穴と複数のファイバ穴の全てを、光コネクタフェルール端面内で走査しながら測定する必要があるため、この測定のために多くの時間を要する。特に、光ファイバ心数が多くなればなるほど、上記の測定のための時間が長くなってしまう。  
また、測定対象の光コネクタフェルールを設置・測定するために、サンプル移動ステージとレーザ測長計とが必要になるため、装置が高価になってしまう。
【００１１】
さらに、サンプル移動ステージがＸ軸方向およびＹ軸方向のみの移動でＺ軸方向へ移動させることができない場合は、顕微鏡の焦点深度が浅いと、光ファイバによる光伝送方向に対し８°の傾斜がつけられた斜め端面フェルールを測定することは困難である。
【００１２】
本発明の目的は、測定時間が短く、廉価で、直角端面多心光コネクタフェルールに加え、斜め端面を有する多心光コネクタフェルールを偏心の測定対象とすることができる多心光コネクタフェルール偏心測定装置および方法を提供することである。
【課題を解決するための手段】
【００１３】
上記目的を達成するために、この発明の実施形態における多心光コネクタフェルール偏心測定装置の第１の態様は、多心光コネクタフェルールにおける、光伝送方向に対して直角または傾斜する端面を撮影し、前記多心光コネクタフェルールの設計位置からの偏心量を測定する多心光コネクタフェルール偏心測定装置であって、前記多心光コネクタフェルールにおける前記偏心量の測定対象である端面からみて逆側から前記多心光コネクタフェルールに照明光を入射する光源と、前記端面に形成されるガイド穴のエッジに焦点を合わせることができる倍率を有する対物レンズと、前記端面から出射された前記照明光を前記対物レンズを介して撮影する撮影部と、前記撮影部で撮影して得た画像を多値で規格化し、前記規格化された画像に基づいて前記偏心量を計算する画像処理部とを有する装置を提供する。
上記構成の多心光コネクタフェルール偏心測定装置の第２の態様は、第１の態様において、前記対物レンズの倍率と撮像部の撮像視野は、前記直角または傾斜する端面の全体を視野に収めることができる、レンズと撮像部の組合せである装置を提供する。
【００１４】
上記構成の多心光コネクタフェルール偏心測定装置の第３の態様は、第１または第２の態様において、前記撮影部の撮像素子の１画素当たりの測定領域と全画素数は、前記対物レンズを介して撮影して得た画像における、前記端面に形成されたファイバ穴のエッジの測定精度が所定条件を満たす大きさとなる数である装置を提供する。
【００１５】
上記構成の多心光コネクタフェルール偏心測定装置の第４の態様は、第１または第２または第３の態様において、前記画像処理部は、前記撮影部で撮影して得た画像を９から３２段階の間の値で規格化し、前記規格化された画像に基づいて前記偏心量を計算する装置を提供する。
【００１６】
本発明の実施形態における多心光コネクタフェルール偏心測定方法の態様は、多心光コネクタフェルールにおける、光伝送方向に対して直角または傾斜する端面を撮影し、前記多心光コネクタフェルールの設計位置からの偏心量を測定する多心光コネクタフェルール偏心測定装置に適用される方法であって、前記多心光コネクタフェルールにおける前記偏心量の測定対象である端面からみて逆側から前記多心光コネクタフェルールに照明光を入射し、前記端面に形成されるガイド穴のエッジに焦点を合わせて前記直角または傾斜する端面の全体を視野に収めることができる、対物レンズと撮像部の組合せを用いて、前記端面から出射された前記照明光を撮影し、前記撮影して得た画像を多値で規格化し、前記規格化された画像に基づいて前記偏心量を計算する方法を提供する。
【発明の効果】
【００１７】
本発明によれば、測定時間が短く、廉価で、直角端面多心光コネクタフェルールに加え、斜め端面を有する多心光コネクタフェルールを偏心の測定対象とすることが可能になる。
【図面の簡単な説明】
【００１８】
【図１】従来の多心光コネクタの一例としてのMT光コネクタの概要を示す図。
【図２】従来の多心光コネクタの一例としてのMPO光コネクタの概要を示す図。
【図３】従来のMT光コネクタフェルール及びMPO光コネクタプラグの作製工程の一例を示すフローチャート。
【図４】従来のMT光コネクタフェルール及びMPO光コネクタプラグを作製する工程の一例を示す概略図。
【図５】従来の多心光コネクタフェルールの偏心測定装置の構成例を表す図。
【図６】本発明の実施形態における多心光コネクタフェルールの偏心測定装置の構成例を示す図。
【図７】MT光コネクタフェルール端面の一例を示す図。
【図８】従来の多心光コネクタフェルールの偏心測定装置で使用されている30万画素のCCDカメラの一例を示す図。
【図９】本発明の実施形態における多心光コネクタフェルールの偏心測定装置で使用する１000万画素の高解像度CCDカメラの一例を示す図。
【図１０】顕微鏡（対物レンズ）とCCDカメラを用いてMT光コネクタフェルールを測定した時の視野範囲の一例を表す概略図。
【図１１】従来の多心光コネクタフェルール偏心測定装置による測定工程の一例を示すフローチャート。
【図１２】本発明の実施形態における多心光コネクタフェルール偏心測定装置による測定工程の一例を示すフローチャート。
【図１３】従来の多心光コネクタフェルールの偏心測定装置の顕微鏡（対物レンズ）を用いて斜め端面を有するMT光コネクタフェルールを顕微鏡で測定した時の撮像特性の一例を示す概略図。
【図１４】発明の実施形態における多心光コネクタフェルールの偏心測定装置で斜め端面を有するMT光コネクタフェルールを顕微鏡で測定した時の撮像特性の一例を示す図。
【図１５】１画素当たりの測定領域が異なるCCDカメラを用いてMT光コネクタフェルールのファイバ穴からの透過光形状を測定した時の撮像特性の一例を示す概略図。
【図１６】データ処理を用いてMT光コネクタフェルールのファイバ穴を測定した時の撮像特性の一例を示す概略図。
【図１７】本発明の実施形態における多心光コネクタフェルールの偏心測定装置において、画像処理の多値化の数を変化させた時の測定時間と測定の繰返しばらつきを実験で検証した結果の一例を示す図である。
【図１８】本発明の実施形態における多心光コネクタフェルール偏心測定装置を用いてMT光コネクタフェルールを撮像した例を表す図。
【図１９】本発明の実施形態における多心光コネクタフェルール偏心測定装置を用いて光ファイバ付きのMT光コネクタフェルールを測定する時のサンプル後方から白色光を照射した例を表す図である。
【図２０】本発明の実施形態における多心光コネクタフェルール偏心測定装置を用いて、斜め端面を有する２４心MT光コネクタフェルールを測定した結果を表す図。
【発明を実施するための形態】
【００１９】
以下、本発明にかかる多心光コネクタフェルールの偏心測定装置（単に測定装置と称することもある）に関わる実施形態を、添付図面を用いて参照して詳細に説明する。また、本発明の理解を容易とするために、以下では必要に応じて従来の構成などと対比して説明することがある。
【００２０】
図１は、従来の多心光コネクタの一例としてのMT光コネクタの概要を示す図である。  
図１に示すMT光コネクタは、光コネクタフェルール２の端面に、複数の光ファイバ１からなる光ファイバテープ（光ファイバ群）が、横方向、つまり光伝送方向に直交する方向に沿って等間隔でかつ並列となるように埋め込まれている。
【００２１】
また、光コネクタフェルール２の端面における、光ファイバテープの配列方向の両側には、当該光ファイバテープの中心軸線と平行でかつそこから等しい距離だけ離間した位置に貫通形成された２つのガイド穴４が設けられる。
【００２２】
図１に示す２つのガイドピン５が２つのガイド穴４に１対１で挿入されることで、相互に接続される２つの光コネクタフェルール２同士が勘合される。これらの対面する２つの光コネクタフェルール２に配列される光ファイバの端面がガイドピン５を介して位置合わせがなされて、光結合される。  
光コネクタフェルール２の端面には、フレネル反射を抑制するために屈折率整合材が塗布され、光結合後は、クランプスプリング６で固定される。
【００２３】
図２は、従来の多心光コネクタの一例としてのMPO光コネクタの概要を示す図である。図２に示すMPO光コネクタは、図１に示したMT光コネクタを応用した光コネクタで、この勘合をプッシュ・プル方式の容易な着脱操作性を実現した光コネクタである。
【００２４】
図２に示すように、MPO光コネクタは、２個のプラグ７と１個のアダプタ８とから構成される。  
プラグ７内には、端面が光伝送方向に対して斜めに研磨、通常８°の角度で研磨されたMT光コネクタフェルール９が組み込まれる。
【００２５】
２つのプラグ７同士はアダプタ８を介してプッシュ・プル操作で締結と切り離しとができる。このMPO光コネクタもMT光コネクタと同様に、ガイドピン５と光コネクタフェルール２に配列されている光ファイバの端面との位置関係で接続損失が決まる。
【００２６】
上記のMT光コネクタフェルールおよびMPO光コネクタプラグの作製について説明する。図３は、従来のMT光コネクタフェルール及びMPO光コネクタプラグの作製工程を示すフローチャートである。図４は、従来のMT光コネクタフェルール及びMPO光コネクタプラグを作製する工程を示す概略図である。
【００２７】
まず、MT光コネクタフェルール（プラスチックフェルール）を作製するための金型を作製する（Ｓ１０１）。  
この金型は、例えば、ガイド穴を形成するコアピンとファイバ穴を形成するコアピンとがＶ溝によって整列・位置合わせされる。そして、この金型にプラスチック樹脂を流し込み、硬化させることで、ガイド穴とファイバ穴とを有するMT光コネクタフェルールが作製される（Ｓ１０２）。
【００２８】
このMT光コネクタフェルールの作製には高度の金型成型技術を必要とするため、高精度のMT光コネクタフェルールを作製できるメーカーは現在のところ非常に限られる。  
図４に示す枠線Ａで囲まれた工程は、フェルールのメーカーが実施する工程を示す。
【００２９】
次に、このMT光コネクタフェルールのメーカー自身が、または、このメーカーから購入したMT光コネクタフェルールに光ファイバを挿入し、接着剤により接着・固定する（Ｓ１０３）。
【００３０】
その後、接着の際にMT光コネクタフェルールの端面に付着した接着剤を除去するために、MT光コネクタフェルールの端面を研磨する（Ｓ１０４）。これにより、MT光コネクタフェルールが完成する（Ｓ１０５）。
【００３１】
次に、MPO光コネクタプラグを作製する場合は、MT光コネクタフェルールの端面を光伝送方向に対して８°の角度で斜め端面の研磨を実施する（Ｓ１０６）。  
このことにより、MT光コネクタフェルールの端面からの反射光が光ファイバの外に漏れるため、反射が抑制された光コネクタを実現することができる。  
その後、斜め端面を有するMT光コネクタフェルールをMPOハウジングに組立てる（Ｓ１０７）ことにより、MPO光コネクタプラグを作製することができる（Ｓ１０８）。
【００３２】
図４に示す枠線Ｂで囲まれた工程は、コネクタアセンブルのメーカーが実施する工程を示す。  
従来より、作製した多心光コネクタフェルールの良否を判断するための測定方法の一つとして、上記のＳ１０２で作製したMT光コネクタフェルールのファイバ穴の設計位置からのずれ（偏心）を計測する方法、または上記のファイバ穴に挿入・固定した光ファイバのコア部の偏心を計測する方法を用いる。
【００３３】
この方法は、光学レンズとCCDカメラ（CCDイメージセンサ（撮像素子）を有するカメラ）、サンプル移動ステージとレーザ測長計、上記で取得した画像のデータ処理により、測定対象のコネクタフェルールの設計位置からのずれを計測し、このずれからコネクタフェルールの良否を検査する方法で、標準化で規定されている方法であるが、現在のところ高価な装置を使用して測定する方法である。
【００３４】
図５は、従来の多心光コネクタフェルールの偏心測定装置の構成例を表す図である。  
図５に示すように、従来の測定装置では、測定対象のMT光コネクタフェルール（MTフェルールと称することもある）２を、このMT光コネクタフェルールを水平面内で移動可能なステージ１０に設置し、ステージ１０の下方に光源１１を設け、MT光コネクタフェルール２に設けられたガイド穴及びファイバ穴の一端側から光源１１からの照明光を入射し、ガイド穴及びファイバ穴からの透過照明光を、ステージ１０を移動させながら顕微鏡（対物レンズ）１２を介してCCDカメラ１３により順次撮像する。
【００３５】
この撮像した透過照明光の画像から、画像処理系１４とコンピュータ１５を用いて各穴のエッジ位置とステージ１０の移動位置を得て、これらの位置に基づいて、各穴の中心位置を測定・計算する。そして、ガイド穴の中心位置から原点を求め、この原点を基準とした、ファイバ穴の中心位置（設計値）からの偏心量をコンピュータで計算する。
【００３６】
この測定には、上記のような大掛かりな装置が必要で、特に、測定対象のMT光コネクタフェルールを設置・測定するために測定対象であるサンプル（MT光コネクタフェルール）を移動するためのステージ１０を駆動するためのステージドライバ１７と、移動させた距離を測定するためのレーザ測長計１８とが必須になるため、装置が高価になってしまう。
【００３７】
また、使用している顕微鏡１２は、測定精度を高めるために、倍率２０倍など高倍率のレンズを採用している。  
そのため、測定対象のMT光コネクタフェルールの測定において、高倍率、すなわち視野範囲の狭い顕微鏡で、MT光コネクタフェルールの端面内で走査しながら、２個のガイド穴と複数のファイバ穴のすべてを測定する必要があるため、測定に多くの時間を要するという問題があった。この測定のための時間は、特に、光ファイバ心数が多くなればなるほど長くなる。
【００３８】
そのため、多心光コネクタフェルールの偏心の測定は、一般的に、フェルールのメーカーが製造時にサンプルの品質を検査するために、抜き取り検査で実施していることが多い。
【００３９】
さらに、ステージ１０がＺ方向（垂直方向）へ移動することができない場合は、８°の角度による斜め端面を有するMT光コネクタフェルールについて測定することは、顕微鏡１２の倍率が高倍率であることによる焦点深度の浅さの問題で困難である。
【００４０】
図６に、本発明の実施形態における多心光コネクタフェルール偏心測定装置の構成例を示す図である。  
本装置は、測定サンプルを設置するステージ１９、照明用の光源１１、測定サンプルを撮像するための高解像度CCDカメラ１３付きの顕微鏡１２、取得した画像から有効なフェルール特性データを得るための画像処理系１４とコンピュータ１５を備える。
【００４１】
図５に示した従来の装置の構成と異なる点の一つは、低倍率の顕微鏡１２と高解像度CCDカメラ１３の組み合わせを用いることで、測定の視野領域が広くなり、測定サンプルであるMT光コネクタフェルールの端面全体を撮像することが可能である点である。このため、サンプルを走査するための、図５に示したステージドライバ１７と、レーザ測長計１８が不要である。
【００４２】
このため、図５に示した従来の装置に比べ、測定時間を大幅に短縮でき、かつ装置のコストを低減することが可能である。
【００４３】
図７は、MT光コネクタフェルールの端面の一例を示す図である。  
図７（ａ）は、２４心光ファイバMT光コネクタフェルールの端面を示し、この端面の上部には、光ファイバの取付け時に接着剤を挿入・充填するための窓２０が設けられる。
【００４４】
図７（ａ）では、横方向をｘ軸とし、縦方向をｙ軸と定義している。  
図７に（ａ）示したMT光コネクタフェルールの端面寸法は、光ファイバ心数に依らず、横6.4 mm、縦2.5 mmである。  
当該MT光コネクタフェルールは、２４個の光ファイバ穴３が、２個のガイド穴４の間に配置される。
【００４５】
これら２４個の光ファイバ穴３は、２個のガイド穴４の中心を結ぶ線上の中点を原点２１とし、この原点２１を基準に等間隔で配列されるように設計される。  
しかし、実際に作製されたMT光コネクタフェルールの端面は、ガイド穴４と実際のファイバ穴３の相対位置に、設計位置からのずれが発生する。
【００４６】
例えば、図７（ｂ）に示した例では、光ファイバ穴３の設計位置がｘ軸、ｙ軸上のＯ点としたとき、実際に作製された光ファイバ穴３の位置はＸ１（Ｘ位置ずれ（ｘ軸方向におけるずれ））、Ｙ１（Ｙ位置ずれ（ｙ軸方向におけるずれ））となっている。  
このため、実際に作製された光ファイバ穴３の位置は、設計位置からの偏心量Ｒだけずれた位置である。  
この偏心量Ｒが発生する原因は、フェルール作製の際の金型精度の限界や成型時のプラスチック樹脂材料の収縮などが挙げられる。
【００４７】
さらに、多心光コネクタフェルールに取付ける光ファイバ１のコア偏心量や、ファイバ穴３の内径と光ファイバ１の外径のクリアランスにより、光ファイバ１のコア位置にもずれが発生し、これらが光コネクタ勘合時の大きな接続損失の原因となる。
【００４８】
このため、低接続損失の多心光コネクタを実現するためには、偏心（ずれ）が小さい、高精度の多心光コネクタフェルールを作製する必要があり、このための検査技術である、多心光コネクタフェルールの偏心測定が重要になる。
【００４９】
図８は、従来の多心光コネクタフェルールの偏心測定装置で使用されている３０万画素のCCDカメラの一例を示す図である。  
図８に示したCCDカメラのCCDの画素は、１画素のサイズが6.35μm ×7.4 μmの画素が横方向640画素、縦方向480画素の合計307,200画素で構成される。
【００５０】
従来の測定装置では、このCCDカメラと２０倍の倍率を有する顕微鏡を用いて測定サンプルを観察するが、この時の１画素当たりの観測可能な領域である観測領域（測定領域）は、6.35/20 μm ×7.4/20 μm、すなわち 0.318μm×0.37 μmとなり、その視野範囲は、0.318×640 μm×0.37×480 μmすなわち203.2 μm×177.6 μmと非常に狭い領域になる。
【００５１】
図９は、本発明の実施形態における多心光コネクタフェルールの偏心測定装置で使用する1,000万画素の高解像度CCDカメラの一例を示す図である。  
図９に示した高解像度CCDカメラの高解像度CCDの画素は、１画素のサイズが1.67μm ×1.67 μmのものが、横方向3840画素、縦方向2748画素の合計10,552,320画素で構成される。
【００５２】
本発明の実施形態における多心光コネクタフェルールの偏心測定装置では、このCCDカメラと倍率１倍の顕微鏡を用いて測定サンプルを観察するが、この時の１画素当たりの観測領域は、1.67/1 μm ×1.67/1 μm、すなわち 1.67μm×1.67 μmとなり、この視野範囲は、1.67×3840 μm×1.67×2748 μm、すなわち6400 μm×4580 μmと、図８に示した例と比べて非常に広い領域になる。
【００５３】
図１０は、CCDカメラと顕微鏡（対物レンズ）を用いてMT光コネクタフェルールを測定した時の視野範囲の一例を示す概略図である。図１０（ａ）は、従来の多心光コネクタフェルールの偏心測定装置に用いられる顕微鏡とCCDカメラを用いた視野例を示し、図１０（ｂ）は、本発明の実施形態における多心光コネクタフェルールの偏心測定装置に用いられる顕微鏡とCCDカメラを用いた視野例を示す。
【００５４】
図１０（ａ）中の破線で囲んだ部分は、従来の測定装置で倍率２０倍の顕微鏡と30万画素のCCDカメラとを用いてMT光コネクタフェルール端面を観察した時の視野領域２２を示す。また、図１０（ｂ）中の破線で囲んだ部分は、本発明の実施形態における測定装置で、倍率約１倍の顕微鏡１２と1,000万画素の高解像度CCDカメラ１３とを用いてMT光コネクタフェルール２の端面を観察した時の視野領域２２を示す。
【００５５】
図１０（ａ）に示すように、従来の測定装置における顕微鏡の視野範囲は、直径0.125mmの円である光ファイバ穴の１個分全体をカバーしている領域としてのおおよそ0.20 mm× 0.17 mmで、非常に狭い。
【００５６】
このため、例えば、２４心光ファイバのMT光コネクタフェルール２の端面を測定する場合には、２つのガイド穴４と２４個の光ファイバ穴３のすべてを計測する必要があるため、顕微鏡に対してMT光コネクタフェルール２の端面の位置を走査させて、すなわちステージドライバ１７を動かし、固定の顕微鏡に対してMT光コネクタフェルールの位置を移動させ、この位置をレーザ測長計１８で計測することが必要になる。  
この処理により、上記のように測定時間が長くなり、装置も高価になっていた。
【００５７】
一方、図１０（ｂ）に示すように、本発明の実施形態における測定装置での顕微鏡の視野範囲は6.4 mm×4.6 mmで、MT光コネクタフェルール２の端面の全体をカバーしているため、従来の測定装置のように、サンプル設置のためのステージを移動させる必要がなく、測定時間を大幅に短縮できる。  
このため、本発明の実施形態における多心光コネクタフェルールの偏心測定装置は、従来と比較して、高速測定かつ低コストを実現できる構成を有する。
【００５８】
図１１は、従来の多心光コネクタフェルール偏心測定装置による測定工程の一例を示すフローチャートである。  
まず、図５に示すMT光コネクタフェルール２にかかる光ファイバ１の心数等の測定条件をコンピュータ１５に入力する（Ｓ２０１）。  
次に、測定対象のMT光コネクタフェルール２をサンプル設置のためのステージ１０にセットする（Ｓ２０２）。  
次に、ステージ１０の下方に設けられる光源１１からMT光コネクタフェルール２の端面の逆側に白色光を照射する（Ｓ２０３）。
【００５９】
MT光コネクタフェルール２の２個のガイド穴４のうちの一つであるガイド穴ａのエッジ（縁）を上記の照射された白色光による、MT光コネクタフェルール２の端面のガイド穴ａから出射された透過光を、高倍率の顕微鏡１２を介してCCDカメラ１３で撮像する。
【００６０】
その際、ガイド穴４の全体を顕微鏡１２で観測することは出来ないため、サンプル設置のためのステージ１０を移動させ、MT光コネクタフェルール２の端面中のガイド穴４の別の位置を撮像し、かつ、この位置をレーザ測長計１８で計測する。この操作をガイド穴４の全体が撮像できるように繰り返し行なう。
【００６１】
次に、画像処理系１４とコンピュータ１５とを用いて、測定した複数のガイド穴ａのエッジから、当該ガイド穴ａの円の中心座標と直径とを計算する（Ｓ２０４）。  
次に、画像処理系１４とコンピュータ１５とを用いて、もう一方のガイド穴ｂについてもＳ２０４と同様の処理を行い、ガイド穴ｂの円の中心座標と直径とを計算する（Ｓ２０５）。
【００６２】
次に、画像処理系１４とコンピュータ１５とを用いて、上記の２個のガイド穴の中心を結ぶ線の中点を、測定対象のMT光コネクタフェルール２の端面の原点として設定する。次に、MT光コネクタフェルール２の端面の原点を基準に等間隔（通常は250μｍ）で配列するように複数のファイバ穴３の中心が設計されているので、画像処理系１４とコンピュータ１５とを用いて、上記で求めた原点に基づいて、指定された複数のファイバ穴３の中心の設計位置を計算する（Ｓ２０６）。
【００６３】
次に、ステージ１０を移動させ、２個のガイド穴ａ，ｂの間に位置する、特定の作製されるファイバ穴３の位置（円の直径と中心位置）を顕微鏡１２で観測する。  
この観測の具体例を説明する。倍率２０倍の顕微鏡１２と３０万画素のCCDカメラ１３を使用している場合、この視野範囲はファイバ穴３の１個分であり、この範囲を顕微鏡１２で観測することが出来る。
【００６４】
ファイバ穴３からの白色光の透過光の形状を基に、CCDカメラ１３付きの高倍率の顕微鏡１２で撮像し、画像処理系１４とコンピュータ１５とを用いて、この撮像して得た画像データから、実際に作製されているファイバ穴３の円の直径と中心位置とを計算する（Ｓ２０７）。
【００６５】
次に、MT光コネクタフェルール２の端面にある別のファイバ穴３にステージ１０を移動して、Ｓ２０７と同様の処理を行い、画像処理系１４とコンピュータ１５とを用いて、このファイバ穴３の位置（円の直径と中心位置）を計算する。この画像処理系１４による計算結果はモニタ１６に表示させることもできる。  
この処理をMT光コネクタフェルール２の端面にある、すべてのファイバ穴３にかかる測定を終了するまで繰り返し行う（Ｓ２０８）。
【００６６】
上記で測定・計算した、実際作製されているファイバ穴３の中心位置（測定位置）とＳ２０６で計算したファイバ穴３の設計位置とから偏心をファイバ穴３の数だけ計算する。以上が、従来のMT光コネクタフェルール２の偏心測定方法である。
【００６７】
図１２は、本発明の実施形態における多心光コネクタフェルール偏心測定装置による測定工程の一例を示すフローチャートである。  
まず、上記のＳ２０１からＳ２０３と同様の工程を経る（Ｓ３０１、Ｓ３０２、Ｓ３０３）。  
この測定工程では、図９に示した構成の高解像度のCCDカメラ１３と低倍率の顕微鏡１２を使用する。
【００６８】
例えば、前述したように、倍率１倍の顕微鏡１２と1,000万画素のCCDカメラ１３を使用した場合、この視野範囲はMT光コネクタフェルール２の端面全体をカバーしているので、MT光コネクタフェルール２の端面の各々の穴から出射された透過光形状を基に、MT光コネクタフェルール２の端面全体をCCDカメラ１３付きの顕微鏡１２で測定する（Ｓ３０４）。
【００６９】
次に、画像処理系１４とコンピュータ１５とを用いて、上記のMT光コネクタフェルールの端面全体の撮像データから、２個のガイド穴と実際作製されている複数のファイバ穴３の円の中心と直径とをそれぞれ計算する（Ｓ３０５）。これらのＳ３０４およびＳ３０５は、上記のＳ２０３、Ｓ２０４、Ｓ２０７、Ｓ２０８に代わるものである。
【００７０】
次に、上記のＳ２０６と同様に、画像処理系１４とコンピュータ１５とを用いて、上記の２個のガイド穴４の中心を結ぶ線の中点を、測定対象のMT光コネクタフェルール２の端面の原点に設定する。次に、上記のＳ２０６と同様に、MT光コネクタフェルール２の端面の原点を基準に等間隔（通常は250μｍ）で配列するように複数のファイバ穴３の中心が設計されているので、画像処理系１４とコンピュータ１５とを用いて、上記で求めた原点に基づいて、指定された複数のファイバ穴３の中心を計算する（Ｓ３０６）。
【００７１】
次に、Ｓ３０５で計算した、Ｓ３０６で計算したファイバ穴３の設計位置に対する、実際作製されている複数のファイバ穴３の中心位置の偏心を、ファイバ穴３の数だけ計算する（Ｓ３０７）。  
以上の工程が、本発明の実施形態における多心光コネクタフェルールの偏心測定装置による測定の手順である。
【００７２】
上記のように、本発明の実施形態における多心光コネクタフェルールの偏心測定装置は、低倍率の顕微鏡を使用する。  
その効果として、従来は測定が難しかった、８°の斜め端面MT光コネクタフェルールを測定することが可能になる。
【００７３】
図１３は、従来の多心光コネクタフェルールの偏心測定装置の顕微鏡（対物レンズ）を用いて斜め端面を有するMT光コネクタフェルールを顕微鏡で測定した時の撮像特性の一例を示す概略図である。  
図１３（ａ）は、斜め端面を有するMT光コネクタフェルール９を高倍率、ここでは倍率２０倍の顕微鏡１２で観測したときの焦点深度の一例を示す模式図であり、図１３（ｂ）は、撮像したガイド穴４の撮像例の模式図である。
【００７４】
図１３（ａ）に示すように、顕微鏡１２の倍率が高倍率である場合、焦点深度２３が浅くなるため、MT光コネクタフェルール９の斜め端面の全体に焦点を合わせることが難しくなる。  
そのため、図１３（ｂ）に示すように、焦点が合わなくなるガイド穴４のエッジ（縁）、ここではガイド穴４の上下の部分の撮像結果２４が不明瞭になる。  
そのため、ガイド穴４の円中心や直径が正確に測定できなくなり、斜め端面を有するMT光コネクタフェルール９の原点も正確に計算できなくなる。
【００７５】
図１４は、本発明の実施形態における多心光コネクタフェルールの偏心測定装置で斜め端面を有するMT光コネクタフェルールを顕微鏡で測定した時の撮像特性の一例を示す図である。図１４（ａ）は、１倍の対物レンズを用いた時の焦点深度の一例を示す模式図であり、図１４（ｂ）は、撮像したガイド穴４の撮像例の模式図である。
【００７６】
図１４（ａ）に示すように、顕微鏡１２の倍率が低倍率である場合、焦点深度２３が深くなるため、MT光コネクタフェルール９の斜め端面の全体に焦点を合わせることが出来るようになる。  
そのため、図１４（ｂ）に示すように、ガイド穴４のエッジ（縁）の撮像結果が、ガイド穴４の上下の部分の撮像結果２４を含めて全体的に明瞭になる。
【００７７】
以上のように、本発明の実施形態における多心光コネクタフェルールの偏心測定装置では、従来では測定が難しかった、斜め端面を有するMT光コネクタフェルールの測定も可能になる。
【００７８】
一方、本発明の実施形態における多心光コネクタフェルールの偏心測定装置は、上記のように低倍率の顕微鏡１２を使用しているため、従来の高倍率の顕微鏡１２を使用した場合に比べて、測定精度が劣化する。  
このため、この測定精度の劣化を補てんするために、本発明の実施形態では、１画素当たりの測定領域が小さく画素数が大きいCCDカメラ１３を使用する。
【００７９】
図１５は、１画素当たりの測定領域が異なるCCDカメラを用いて、MT光コネクタフェルールのファイバ穴３からの透過光形状を測定した時の撮像特性の一例を示す概略図である。図１５（ａ）は、１画素当たりの測定領域が大きく画素数が小さいときの例を示し、図１５（ｂ）は、１画素当たりの測定領域が小さく画素数が大きいときの例を示す。
【００８０】
図１５から分かる様に、１画素当たりの測定領域が大きい場合は測定したファイバ穴３の撮像結果のエッジが凸凹して粗いのに対し、１画素当たりの測定領域が小さい場合はファイバ穴３の撮像結果のエッジの凹凸が軽減されて滑らかになっている。このように１画素当たりの測定領域が小さく画素数が大きい場合は、ファイバ穴３の撮像結果のエッジの精度が所定条件を満たす大きさとなる。
【００８１】
ファイバ穴３の撮像結果の画像から円の中心や直径を計算する際、図１５（ｂ）に示した撮像結果を用いた方が正確な値を導くことができる、すなわち測定精度の向上につながるという効果がある。
【００８２】
例えば、従来の測定装置のCCDカメラ１３の画素数が30万画素であったのに対し、本発明の実施形態における測定装置のCCDカメラ１３の画素数は、例えば、1,000万画素のCCDカメラを使用することで、上記の測定精度の向上の効果を得ることができる。
【００８３】
従来の測定装置と本発明の実施形態における測定装置で用いるCCDカメラの画素数と顕微鏡の倍率を基に、１画素当たりの測定領域を求めると（図８と図９参照）、従来の測定装置のように画素数が30万画素であるCCDカメラ１３と倍率２０倍の顕微鏡１２を用いたとする。この場合の測定領域は0.318μm×0.37 μmである。  
これに対し、本発明の実施形態における測定装置のように、画素数が1000万画素であるCCDカメラ１３と倍率１倍の顕微鏡１２を用いた場合は、測定領域は1.67μm×1.67 μmである。  
この１画素分の測定領域から測定装置としての測定精度としてみると、従来の測定装置の方が良いことが考察される。
【００８４】
そのため、本発明の実施形態における測定装置が従来の測定装置と同様の測定精度を有するためには、CCDカメラ１３の画素数を増やすこと以外に、さらなる工夫が必要である。
【００８５】
以上のようなことから、測定精度向上を目的に、本発明の実施形態における測定装置は、CCDカメラ１３が取得した画像からデータ処理する手段として、一画素あたりの識別として、従来から用いられる二値化ではなく、より細分化した、適切な多値化を使用する。
【００８６】
図１６は、データ処理を用いてMT光コネクタフェルールのファイバ穴を測定した時の撮像特性の一例を示す概略図である。  
図１６（ａ）は、ファイバ穴３の画像処理の識別を白と黒の二値化で処理したときの撮像特性の一例を示し、図１６（ｂ）は、ファイバ穴３の画像処理の識別を白と黒だけでなく、灰色を加えた多値化で処理したときの撮像特性の一例を示す図である。
【００８７】
このように、多値化による画像処理方法も、画素数が大きいCCDカメラ１３を使用したときと同様に、測定するファイバ穴３のエッジの撮像結果の精度が所定の条件を満たし、つまり従来と比較してエッジの撮像結果がより滑らかになり、ファイバ穴３の円の中心や直径を計算する際、図１６（ｂ）に示した方が、より正確な値を導くことができる、すなわち測定精度の向上につながるという効果がある。  
ただし、多値化の数を大きくすることは測定精度の向上につながるが、画像処理時間、すなわち測定時間が長くなるため、適切な値に設定することが重要である。
【００８８】
図１７は、本発明の実施形態における多心光コネクタフェルールの偏心測定装置において、画像処理の多値化の数を変化させた時の測定時間と測定の繰返しばらつきを実験で検証した結果の一例を示す図である。  
図１７では、横軸が多値化を表し、横軸における右になるほど多値化数が小さくなっていく。  
図１７では、左の縦軸が測定時間を示し、右の縦軸が９回繰返し測定の標準偏差、すなわち測定精度を示す。
【００８９】
図１７に示すように、多値化の数が大きい場合は測定時間（図１７中の四角形のプロット）が長くなり、多値化の数が小さくなるに従い測定時間が短くなる。一方、繰返し測定の標準偏差、すなわち測定精度に関しては、多値化の数が小さくなるにつれて標準偏差（図１７中のひし形状のプロット）が大きくなっていき、多値化の数が大きくなるにつれて、標準偏差が小さくなっていくことが分かる。  
ただし、多値化の数がある値になると標準偏差の値は飽和していき、多値化の数を大きくすることによる測定精度向上の効果が小さくなっていく。  
このことから、画像処理の多値化の数は、測定時間と繰返し測定の標準偏差に関して、最適な領域が存在することが分かる。
【００９０】
図１７に示した結果をみると、多値化の数が９〜３２の場合は、測定時間および繰返し測定の標準偏差をともに小さくでき、最適な値であることが分かる。  
以上のように、測定時間の短縮と測定精度の向上を考慮して、多値化の数を適切に設定することが重要となる。
【００９１】
図１８は、本発明の実施形態における多心光コネクタフェルールの偏心測定装置を用いてMT光コネクタフェルールを撮像した例を表す図である。  
図１８（ａ）は、斜め端面を有する２４心のMT光コネクタフェルールの測定結果を示し、図１８（ｂ）は、直角端面を有する８心光ファイバ付きのMT光コネクタフェルールの測定結果を示す。
【００９２】
図１８より、斜め端面を有する２４心MT光コネクタフェルールも、直角端面を有する８心光ファイバ付きのMT光コネクタフェルールの両方とも、ガイド穴やファイバ穴、またはファイバコアが正確に測定できていることが分かる。
【００９３】
ここまでの実施形態の説明は、主に光ファイバを取り付けていないMT光コネクタフェルール（例えば、図４のＳ１０２参照）を基に説明したが、光ファイバを取り付けたMT光コネクタフェルール（例えば、図４のＳ１０７参照）についても測定可能である。
【００９４】
その場合は、MT光コネクタフェルールに取付けている光ファイバの逆端面から白色光を入射し、このMT光コネクタフェルールに取付けられているファイバ端から当該白色光を出射させ、この白色光をCCDカメラ付きの顕微鏡で観察し、光ファイバのコア位置を計算する。
【００９５】
その際、ガイド穴の観察はステージの下方に設けている光源１１からフェルール端面の逆側から白色光を当該測定フェルールに照射し、このフェルールの端面から透過する白色光の形状を基にガイド穴の位置を測定・計算する。
【００９６】
図１９は、本発明の実施形態における多心光コネクタフェルール偏心測定装置を用いて光ファイバ付きのMT光コネクタフェルールを測定する時のサンプル後方から白色光を照射した例を表す図である。図１９（ａ）は標準的な光の照射の例を示し、図１９（ｂ）は、ガイド穴に照射光が集光しやすくした方法を表す概略図である。
【００９７】
多心光ファイバ付きのMT光コネクタフェルールを測定する際は、図１９（ａ）に示すように、光ファイバテープがMT光コネクタフェルール２に取付けられているため、光源１１からの白色光２５がうまくガイド穴に入らない場合がある。
【００９８】
そのため、図１９（ｂ）のように、光ファイバテープがあってもMT光コネクタフェルールの後方からの光をガイド穴にうまく取り入れるために、例えば、テーパ状の円錐治具２６、つまり光ファイバテープが取り付けられていてもガイド穴に集光する治具を使用する。これは、光ファイバ付きの多心光コネクタフェルールの偏心測定に有効である。
【００９９】
また、図１８に示すような、測定サンプルの撮像データをコンピュータ１５の記憶装置に保存しておけば、もし測定サンプルや測定結果のデータを紛失した場合でも、図１２に示したＳ３０５〜３０７の工程を行うことで測定結果を再度求めることができる。  
また、複数の測定装置間で図１８に示すような撮像データを共有することも可能である。これは従来の装置では、一つのMTコネクタフェルール端面測定でも数多くの撮像データを保存することが必要になるため、実際的に実現困難なことであった。
【０１００】
図２０は、本発明の実施形態における多心光コネクタフェルール偏心測定装置を用いて、斜め端面を有する２４心MT光コネクタフェルールを測定した結果を示す。  
図２０（ａ）はＸ方向の偏心データの一例を示し、図２０（ｂ）はＹ方向の偏心データの一例を示す。
【０１０１】
図２０中の黒印のプロットは、同じサンプルを従来の測定装置で測定した結果を示し、それ以外のプロットは、本実施形態における測定装置で同じサンプルを繰返し複数回測定した結果を示す。図２０では、本実施形態における測定装置による９回の測定結果のうち、代表として２回（測定Ａ、Ｂ）の測定結果を示す。  
ここでは、本実施形態における測定装置による測定における多値化として１７段階を採用した。  
本実施形態における測定装置で複数回測定した結果、図２０に示すように大きな測定ばらつきは無く、Ｘ軸の標準偏差ΔＸは0.06μmで、Ｙ軸の標準偏差ΔＹは0.07μmであった。本実施形態における測定装置による測定結果と従来の測定装置による測定結果と比較すると、Ｘ方向でサブミクロンの違いがある心線もあるが、全体的には概ね一致している。
【０１０２】
測定時間に関しては、斜め端面を有する２４心MT光コネクタフェルールを従来の測定装置で測定した時が３分４０秒であったのに対し、本実施形態における測定装置では１０秒程度で測定することができ、測定時間が大幅に短縮することが出来ることを確認した。
【０１０３】
以上のように、本発明の実施形態における多心光コネクタフェルール偏心測定装置は、低倍率の顕微鏡、高画素のカメラを使用し、画像の多値化を行なうことで、測定時間が短く、廉価で、斜め端面を有する多心光コネクタフェルールも測定対象とすることができる。
【０１０４】
具体的には、上記のように低倍率の顕微鏡と高解像度CCDカメラを用いて、測定対象の多心光コネクタフェルールを一度に撮像し、多心光コネクタフェルールの設計位置からの偏心を高速で測定することを可能にした。ならびに、低倍率の顕微鏡を使用することによる測定精度の劣化を補てんするために、1画素当たりの測定領域が小さく画素数が大きいCCDカメラである高解像度CCDカメラを用いることと、高解像度CCDカメラが取得した画像からデータ処理する手段として、一画素あたりの識別を二値化から、より細分化した適切な多値化を用いることで測定精度を向上させることができる。
【０１０５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１０６】
１…光ファイバ、２，９…光コネクタフェルール、３…光ファイバ穴、４…ガイド穴、５…ガイドピン、６…クランプスプリング、７…プラグ、８…アダプタ、１０，１９…ステージ、１１…光源、１２…顕微鏡、１３…カメラ、１４…画像処理系、１５…コンピュータ、１７…ステージドライバ、１８…レーザ測長計、２０…窓、２１…原点、２２…視野領域、２３…焦点深度、２４…撮像結果、２５…白色光、２６…円錐治具。
【図１】
2018071990.tif 000003
【図２】
2018071990.tif 000004
【図３】
2018071990.tif 000005
【図４】
2018071990.tif 000006
【図５】
2018071990.tif 000007
【図６】
2018071990.tif 000008
【図７】
2018071990.tif 000009
【図８】
2018071990.tif 000010
【図９】
2018071990.tif 000011
【図１０】
2018071990.tif 000012
【図１１】
2018071990.tif 000013
【図１２】
2018071990.tif 000014
【図１３】
2018071990.tif 000015
【図１４】
2018071990.tif 000016
【図１５】
2018071990.tif 000017
【図１６】
2018071990.tif 000018
【図１７】
2018071990.tif 000019
【図１８】
2018071990.tif 000020
【図１９】
2018071990.tif 000021
【図２０】
2018071990.tif 000022